(57)【要約】【課題】１つの光ピックアップをディスクの両面に回転自在に設置して記録再生する両面記録再生装置で、Ａ面及びＢ面において、光ピックアップの光軸とディスクの再生面との高い垂直精度を得ることが難しい。【解決手段】光ビックアップと光ピックアップ駆動装置を着脱可能なガイドベースをＡ面用とＢ面用の２つ設け、各ガイドベースに配設された円形のガイド孔をターンテーブルに載置されたディスクの半径方向に内周から外周方向に設けられた各面側のガイド軸に挿設し、Ａ面とＢ面間での記録再生切換えの際、光ピックアップと光ピックアップ駆動装置は一体でＡ面あるいはＢ面のガイドベースから取り外され、反転後、もう一方のガイドベースに固定される構成にする。【選択図】図１
2005100560.tif 000002
【特許請求の範囲】
【請求項１】
ディスク状記録媒体の第一面と第二面の両面のうち少なくとも一方の面に情報を記録もしくは記録された情報を再生するための光ピックアップと、前記ディスク状記録媒体を載置し前記光ピックアップが記録再生可能な位置で回転させるターンテーブルと、前記光ピックアップを載置し、前記ターンテーブル上に載置された前記ディスク状記録媒体の両方の記録面に沿って移動させる光ピックアップ駆動手段と前記光ピックアップと前記光ピックアップ駆動手段を一体に移動可能で、且つ、取り外し可能で、前記ディスク状記録媒体の第一面の記録面に沿って移動可能な第一ガイドベースと、前記ターンテーブル上に載置された前記ディスク状記録媒体の第一面に対向配置され、前記第一面に平行に前記第一ガイドベースをガイドして、前記光ピックアップを前記ディスク状記録媒体の第一面の半径方向に内周側から外周側の第一の所定着脱位置まで進退可能とする第一直線ガイド手段と、前記第一直線ガイド手段と平行に配され、前記第一ガイドベースに設けられたガイド孔に挿通されるものであって前記ディスク状記録媒体の第一面の半径方向に内周側から外周側の第一の所定着脱位置まで伸長し、前記第一ガイドベースの直線移動をガイドする第一ガイド手段と前記光ピックアップと前記光ピックアップ駆動手段を一体に移動可能で、且つ、取り外し可能で、前記ディスク状記録媒体の第二面の記録面に沿って移動可能な第二ガイドベースと、前記ターンテーブル上に載置された前記ディスク状記録媒体の第二面に対向配置され、前記第二面に平行に前記第二ガイドベースをガイドして、前記光ピックアップを前記ディスク状記録媒体の第二面の半径方向に内周側から外周側の第二の所定着脱位置まで進退可能とする第二直線ガイド手段と、前記第二直線ガイド手段と平行に配され、前記第二ガイドベースに設けられたガイド孔に挿通されるものであって前記ディスク状記録媒体の第二面の半径方向に内周側から外周側の第二の所定着脱位置まで伸長し、前記第二ガイドベースの直線移動をガイドする第二ガイド手段と前記第一及び第二の所定着脱位置のうちの一方で前記第一ガイドベースあるいは前記第二ガイドベースから離脱した前記光ピックアップと前記光ピックアップ駆動手段を一体で保持し、反転させる光ピックアップ反転手段とで構成されたことを特徴とする光ディスク装置。
【請求項２】
前記第一ガイドベース及び前記第二ガイドベースに配設されたガイド孔は円形であることを特徴とする請求項１記載の光ディスク装置。
【発明の詳細な説明】
【技術分野】
【０００１】
本発明はディスク状記録媒体（以下、ディスクと呼ぶ）に情報を記録するもしくは記録された情報を再生する光ディスク装置のうち特に両面記録再生可能な光ディスク装置に関するものである。
【背景技術】
【０００２】
近年、光ディスク装置の分野では、ＤＶＤメディアへの記録再生ができるＤＶＤ記録再生装置の普及が著しい。ＤＶＤ記録再生装置の更なる普及と差別化のためにも、ＤＶＤ記録再生装置の長時間連続記録再生化が望まれている。長時間連続記録再生化の手段の１つとして、両面に録画再生可能なＤＶＤディスクのイジェクト動作を行うことなく両面連続記録再生する手段がある。
【０００３】
従来の光ディスク（以後ディスクと呼ぶ）を両面（これらの面をＡ面、Ｂ面とする）再生させる光ディスク装置で、１つの光ピックアップをディスクの両面に回転自在に設置して記録再生する構成にする場合が知られている（例えば、特許文献１参照）。その概略構成を図４に示す。
【０００４】
図４において、ディスク１００はＡ面とＢ面に記録再生可能であるとする。Ａ面側での再生状態では、ディスクの信号を再生するための光ピックアップ１０１を載置した光学ブロック１０２はメインベース部材１０３に配設されたガイド軸１０４及び光学ブロック１０２に配設された回転自在なローラ部材１０５、ローラ規制部材１０６で位置規制されつつ、ディスクの半径方向に（紙面垂直方向に）移動する。光学ブロック１０２を移動させるための動力は光学ブロック内に設けられているモーターとギヤ（図示せず）を介して、駆動ギヤ１０７とメインベース部材１０３に配設されているラック部材１０８によって動作する。Ｂ面側の再生をする場合には、光学ブロック１０２は、ディスクの外形の外側まで移動した後、一旦ガイド軸１０４及びローラ規制部材１０６から外れ、反転手段により１８０°回転されて（図示せず）、Ｂ面側のガイド軸１１０及びローラ規制部材１１２に挿入されて位置規制されつつ、ディスクの半径方向に移動する。
【特許文献１】特公平８−１４９４１号公報
【発明の開示】
【発明が解決しようとする課題】
【０００５】
ＤＶＤメディアへの記録再生の場合、光ピックアップの光軸とディスクの再生面との垂直精度は非常に高い精度が要求される。ディスクの両面に記録再生するためには、それぞれの面で高い垂直精度を出すことが必要になるが、高い垂直精度を得るためには、図４におけるガイド軸１０４、及び１１０と光学ブロック１０２に配設されたガイド孔とのはめあい精度を高くする必要がある。精度を出しやすいガイド孔の形状は円形である。      
【０００６】
しかしながら、従来の方式では、ガイド孔は、円形の一部が切り欠けた円弧状になっており、ガイド軸１０４との高いはめあい精度を得にくい。図４で、ガイド孔が円弧状をしている理由は、Ａ面とＢ面間での光学ブロック１０２の移動の際に、光学ブロック１０２がガイド軸１０４及び１１０に挿脱する必要があるが、ガイド軸１０４及び１１０はそれぞれメインベース部材１０３とサブベース部材１１３に支持材１０９及び１１１で支持されているため、光学ブロック１０２の挿脱時に支持材１０９及び１１１を避ける必要がある。よって、ガイド孔は円弧状となっており、光ピックアップの光軸とディスクの再生面との高い垂直精度を得られないという問題点を有していた。
【０００７】
本発明は上記従来の問題点を解決するもので、１つの光ピックアップをディスクの両面に回転自在に設置して記録再生する構成で、Ａ面及びＢ面において、光ピックアップの光軸とディスクの再生面との高い垂直精度を得ることができる光ディスク装置を提供することを目的とする。
【課題を解決するための手段】
【０００８】
この目的を達成するために本発明の請求項１に記載の発明は、ディスク状記録媒体の第一面と第二面の両面のうち少なくとも一方の面に情報を記録もしくは記録された情報を再生するための光ピックアップと、ディスク状記録媒体を載置し光ピックアップが記録再生可能な位置で回転させるターンテーブルと、光ピックアップを載置し、ターンテーブル上に載置されたディスク状記録媒体の両方の記録面に沿って移動させる光ピックアップ駆動手段と、光ピックアップと光ピックアップ駆動手段を一体に移動可能で、且つ、取り外し可能で、ディスク状記録媒体の第一面の記録面に沿って移動可能な第一ガイドベースと、
ターンテーブル上に載置されたディスク状記録媒体の第一面に対向配置され、第一面に平行に第一ガイドベースをガイドして、光ピックアップをディスク状記録媒体の第一面の半径方向に内周側から外周側の第一の所定着脱位置まで進退可能とする第一直線ガイド手段と、第一直線ガイド手段と平行に配され、第一ガイドベースに設けられたガイド孔に挿通されるものであってディスク状記録媒体の第一面の半径方向に内周側から外周側の第一の所定着脱位置まで伸長し、第一ガイドベースの直線移動をガイドする第一ガイド手段と光ピックアップと光ピックアップ駆動手段を一体に移動可能で、且つ、取り外し可能で、ディスク状記録媒体の第二面の記録面に沿って移動可能な第二ガイドベースと、ターンテーブル上に載置されたディスク状記録媒体の第二面に対向配置され、第二面に平行に前記第二ガイドベースをガイドして、光ピックアップをディスク状記録媒体の第二面の半径方向に内周側から外周側の第二の所定着脱位置まで進退可能とする第二直線ガイド手段と、第二直線ガイド手段と平行に配され、第二ガイドベースに設けられたガイド孔に挿通されるものであってディスク状記録媒体の第二面の半径方向に内周側から外周側の第二の所定着脱位置まで伸長し、第二ガイドベースの直線移動をガイドする第二ガイド手段と、第一及び第二の所定着脱位置のうちの一方で第一ガイドベースあるいは第二ガイドベースから離脱した光ピックアップと光ピックアップ駆動手段を一体で保持し、反転させる光ピックアップ反転手段とを備えたことを特徴としたものである。
【０００９】
また、本発明の請求項２に記載の発明は、前記第一ガイドベース及び第二ガイドベースに配設されたガイド孔は円形であることを特徴としたものである。
【発明の効果】
【００１０】
以上のように本発明の請求項１に記載の発明は、ガイドベースに配設されたガイド孔にガイド軸の支持部を避けるための切り欠け部をなくすことで、ガイド孔とガイド軸とのはめあい精度を高めることにより、光ピックアップの光軸とディスクの再生面との垂直精度を高めることができるという優れた効果を有する。
【００１１】
また、本発明の請求項２に記載の発明により、ガイド孔を加工しやすく精度の出しやすい円形にすることにより、ガイド孔とガイド軸とのはめあい精度を容易に高めることができる。
【発明を実施するための最良の形態】
【００１２】
以下、本発明の実施の形態について、図１から図３を用いて説明する。
【００１３】
（実施の形態）
図１は本発明の実施の形態における光ディスク装置の構成を示す斜視図であり、図２は正面図、図３は側面図である。図１〜図３において、矢印Ａ方向のディスク記録面をＡ面とし、矢印Ｂ方向のディスク記録面をＢ面とする。図１において、１はディスクへ信号を記録する、あるいは、ディスクの信号を再生するための光ピックアップ、２は光ピックアップ１を載置し、ディスクの両面に沿って移動するための駆動装置３を備えた光ピックアップ駆動手段で、駆動装置３としては、例えばモーターとギヤで構成される。光ピックアップ１は、ビスなどの締結部品によって、光ピックアップ駆動手段２に固定される。４は光ピックアップ駆動手段２を固定、且つ、取り外し可能で、ディスクのＡ面に沿って移動可能なＡ面側ガイドベースである。光ピックアップ駆動手段２とＡ面側ガイドベース４の着脱方法は、例えば、図２に示すように、Ｔ字型の凹凸部で挿着させる方法があり、光ピックアップ駆動手段２にＴ字状の凸部を設け、Ａ面側ガイドベース４にＴ字状の凹部を設け、Ａ面側ガイドベース上を光ピックアップ駆動手段２がスライド移動して着脱が行われる。５はディスクのＡ面に対向配置されたＡ面側ベース部材、６はＡ面側ベース部材５上に設けられ、光ピックアップ駆動手段２の駆動装置３と噛み合って、Ａ面側ガイドベース４をＡ面に平行にガイドして、Ａ面の半径方向に内周側から外周側へ図３に示すＡ面側の光ピックアップ着脱位置まで伸長して設けられたＡ面側直線ガイドで、例えば、ラック部材で構成される。７はＡ面側直線ガイド６と平行に配置され、Ａ面側ガイドベース４に設けられたガイド孔に挿通され、ディスクＡ面の半径方向に内周側から外周側へＡ面側の光ピックアップ着脱位置まで伸長し、Ａ面側ガイドベース４の直線移動をガイドするＡ面側ガイド主軸、８はＡ面側ガイド主軸７の両端をＡ面側ベース部材５に固定支持するＡ面側ガイド主軸支持材、９はＡ面側ガイド主軸７と平行に配置され、Ａ面側ガイドベース４に設けられたＵ字状のガイド溝に挿通され、ディスクＡ面の半径方向に内周側から外周側へＡ面側の光ピックアップ着脱位置まで伸長してＡ面側ベース材５に両端固定された、Ａ面側ガイドベース４の直線移動をガイドするＡ面側ガイド副軸、１０は光ピックアップ駆動手段２を固定、且つ、取り外し可能で、ディスクのＢ面に沿って移動可能なＢ面側ガイドベースで、光ピックアップ駆動手段２との着脱方法は、Ａ面側と同等の構成を為している。１１はディスクのＢ面に対向配置されたＢ面側ベース部材、１２はＢ面側ベース部材１１上に設けられ、光ピックアップ駆動手段２の駆動装置３と噛み合って、Ｂ面側ガイドベース１０をＢ面に平行にガイドして、ディスクのＢ面の半径方向に内周側から外周側へＢ面側の光ピックアップ着脱位置まで伸長して設けられたＢ面側直線ガイドで、例えば、ラック部材で構成される。１３はＢ面側直線ガイド１２と平行に配置され、Ｂ面側ガイドベース１０に設けられたガイド孔に挿通され、ディスクＢ面の半径方向に内周側から外周側へＢ面側の光ピックアップ着脱位置まで伸長し、Ｂ面側ガイドベース１０の直線移動をガイドするＢ面側ガイド主軸、１４はＢ面側ガイド主軸１３の両端をＢ面側ベース部材１１に固定支持するＢ面側ガイド主軸支持材、１５はＢ面側ガイド主軸１３と平行に配置され、Ｂ面側ガイドベース１０に設けられたＵ字状のガイド溝に挿通され、ディスクＢ面の半径方向に内周側から外周側へＢ面側の光ピックアップ着脱位置まで伸長してＢ面側ベース材１１に両端固定された、Ｂ面側ガイドベース１０の直線移動をガイドするＢ面側ガイド副軸、１６は、Ａ面側及びＢ面側の光ピックアップ着脱位置のうち一方で、Ａ面側ガイドベース４あるいはＢ面側ガイドベース１０から離脱した光ピックアップ駆動手段２を保持して、反転させ、もう一方の面側のガイドベース着脱位置に、移動させるための光ピックアップ反転手段の回転板で、駆動手段（図示せず）、例えばモーターとギヤによって、Ａ面側ガイド主軸７及びＢ面側ガイド主軸１３による光ピックアップ駆動手段２のガイド方向に対して交叉する面、この場合、直交する面に沿って回転するように設けられている。また、回転板１６には、光ピックアップ駆動手段２の着脱を検出するスイッチ（図示せず）が設けられている。１７は外端部が尖頭状に形成され、Ａ面側ガイド主軸７及びＢ面側ガイド主軸１３に平行に回転板１６に植説され、Ａ面側ガイド軸７、９あるいはＢ面側ガイド軸１３、１５から離脱した光ピックアップ駆動手段２に、光ピックアップ駆動手段２に設けられたガイド孔で嵌合して、光ピックアップ駆動手段２を反転する時、光ピックアップ駆動手段２を保持するための保持主軸、１８は外端部が尖頭状に形成され、保持主軸１７に平行に回転板１６に植設され、Ａ面側ガイド軸７、９あるいはＢ面側ガイド軸１３、１５から離脱した光ピックアップ駆動手段２に、光ピックアップ駆動手段２に設けられたＵ字状のガイド溝で嵌合して、光ピックアップ駆動手段２を反転する時、光ピックアップ駆動手段２を保持するための保持副軸、１９はＡ面側記録再生時は、Ａ面側直線ガイド６と一直線上に配置されて回転板１６上に設けられ、Ａ面側直線ガイド６あるいはＢ面側直線ガイド１２から離脱した光ピックアップ駆動手段２の駆動装置３と噛合する回転板直線ガイドで、例えば、ラック部材で構成される。回転板直線ガイド１９は、Ｂ面側記録再生時は、回転板１６が回転して、Ｂ面側直線ガイド１２と一直線上に配置される。２０はディスクを載置し光ピックアップ１が記録再生可能な位置で回転させるターンテーブルである。なお、図２で示すように、Ａ面側ガイドベース４とＢ面側ガイドベース１０に設けられたガイド孔は円形で形成されている。また、Ａ面側ガイドベース４及びＢ面側ガイドベース１０には、図３に示すＡ面側あるいはＢ面側の光ピックアップ着脱位置で、光ピックアップ駆動手段２が離脱した後、Ａ面側あるいはＢ面側の光ピックアップ着脱位置で、Ａ面側ガイドベース４及びＢ面側ガイドベース１０を保持する保持手段（図示せず）が設けられている。保持手段としては、例えば、Ａ面側ガイド主軸支持材８、Ｂ面側ガイド主軸支持材１４に爪を引っ掛ける方法がある。
【００１４】
以上のように構成された光ディスク装置について、図１〜図３を用いてその動作を説明する。まず、Ａ面あるいはＢ面での記録再生時は、光ピックアップ駆動手段２に設けられた駆動装置３がＡ面側直線ガイド６あるいはＢ面側直線ガイド１２と噛み合い、Ａ面側ガイド主軸７とＡ面側ガイド副軸９あるいはＢ面側ガイド主軸１３とＢ面側ガイド副軸１５でＡ面側ガイドベース４あるいはＢ面側ガイドベース１０がガイドされて、光ピックアップ駆動手段２とＡ面側ガイドベース４あるいはＢ面側ガイドベース１０が一体となって、ディスク１００の信号の記録再生位置へ直線移動する。
【００１５】
Ａ面からＢ面への記録再生の切換え時は、まず、光ピックアップ駆動手段２とＡ面側ガイドベース４は一体で、Ａ面側ガイド主軸７とＡ面側ガイド副軸９でガイドされてディスク内周から外周方向にＡ面側の光ピックアップ着脱位置まで直線移動する。そして、Ａ面側ガイドベース４がＡ面側ガイド主軸支持材８に当接し、直線移動を停止するＡ面側の光ピックアップ着脱位置に達すると、駆動装置３の駆動により、光ピックアップ駆動手段２は、Ａ面側ガイドベース４上をスライドして離脱し、駆動装置３は、Ａ面側直線ガイド６から離脱し、回転板直線ガイド１９と噛み合って、直線移動を続け、保持主軸１７と保持副軸１８が光ピックアップ駆動手段２に設けられたガイド孔とＵ字状のガイド溝に挿着され、光ピックアップ駆動手段２の端面が回転板１６に設けられた検知手段（図示せず）に当接すると、駆動装置３の動作が停止する。光ピックアップ駆動手段２が離脱した後のＡ面側ガイドベース４は、Ａ面側の光ピックアップ着脱位置に保持手段によって保持される。
その後、回転板１６は光ピックアップ駆動手段２を保持した状態で、モーターとギヤ等の駆動手段（図示せず）によって回転され、１８０°回転すると検知手段（図示せず）により検知されて停止する。
【００１６】
そして、ディスク１００は、Ａ面側の記録再生時とは逆方向に、ターンテーブル２０によって回転駆動される。駆動装置３が逆回転し、光ピックアップ駆動手段２は、回転板直線ガイド１９上を保持主軸１７と保持副軸１８にガイドされながら直線移動して、駆動装置３は、Ｂ面側直線ガイド１２と噛み合う。光ピックアップ駆動手段２は、光ピックアップ駆動手段２に設けられたＴ字状の凸部が、Ｂ面側の光ピックアップ着脱位置に保持されているＢ面側ガイドベース１０の凹部に挿着しながら移動を続け、Ｂ面側ガイドベース１０に設けられたストッパー（図示せず）に光ピックアップ駆動手段２の端面が当接すると、Ｂ面側ガイドベース１０は、光ピックアップ駆動手段２と一体に、光ピックアップ着脱位置からディスク１００の内周方向に、Ｂ面側ガイド主軸１３とＢ面側ガイド副軸１５にガイドされて直線移動し、Ｂ面側のディスク１００へ信号を記録再生する位置に移動する。Ｂ面からＡ面への記録再生の切換えは、上記と逆の過程を辿って行われる。
【００１７】
以上のように本実施の形態によれば、光ピックアップ１を載置した光ピックアップ駆動手段２を着脱可能で、ディスク１００のＡ面あるいはＢ面に沿って移動可能で、円形のガイド孔を配設されたＡ面側ガイドベース４及びＢ面側ガイドベース１０と、Ａ面及びＢ面に平行に配置され、Ａ面側ベース部材５あるいはＢ面側ベース部材１１に両端固定支持された、Ａ面側ガイド主軸７、Ａ面側ガイド副軸９、Ｂ面側ガイド主軸１３、Ｂ面側ガイド副軸１５と、光ピックアップ駆動手段２の駆動装置３と噛み合い、Ａ面及びＢ面に平行に配置された、Ａ面側直線ガイド６、Ｂ面側直線ガイド１２と、Ａ面側あるいはＢ面側の光ピックアップ着脱位置の一方で、Ａ面側ガイドベース４あるいはＢ面側ガイドベース１０から離脱した前記光ピックアップ駆動手段２を保持し、反転させる回転板１６，保持主軸１７、保持副軸１８、回転板直線ガイド１９を設けることにより、Ａ面からＢ面へ記録再生を切換える時、光ピックアップ１を載置した光ピックアップ駆動手段２をＡ面側ガイドベース４から取り外し、反転し、Ｂ面側ガイドベース１０へ取り付ける動作を行うことができ、Ａ面側ガイドベース４とＢ面側ガイドベース１０のガイド主軸を挿通させるガイド孔を切り欠くことなく円形で構成することができ、光ピックアップ１の光軸とディスク１００の再生面の垂直精度を高くすることができる。
【００１８】
なお、以上の説明では光ピックアップ１と光ピックアップ駆動手段２の反転手段として、回転板１６を回転する方式としたが、Ｕ字状のラックやベルトで回転させる方式としてもよい。
【００１９】
また、Ａ面側ガイドベース４とＢ面側ガイドベース１０に設けるガイド主軸を挿通するためのガイド孔の形状として、円形としたが、正方形や正六角形等の切り欠きのない他の形状としてもよい。
【００２０】
また、ガイドベースの直線移動の補助的なガイドとして、ガイド副軸を使用する方式としたが、Ａ面側ベース部材５とＢ面側ベース部材１１にガイド主軸と平行なリブを設けてガイドとして使用する方式、あるいは、光ピックアップ駆動手段２にローラを設け、ベース部材にローラの回転ガイドを設ける方式としてもよい。
なお、本発明は上記した実施の形態に限定されるものではない。
【産業上の利用可能性】
【００２１】
本発明にかかる光ディスク装置はディスクの両面側にそれぞれガイドベースを設け、光ピックアップの反転時、光ピックアップを一方のガイドベースから取り外し、反転し、もう一方のガイドベースに固定する構成をとることによって、光ピックアップの光軸とディスクの再生面との高い垂直精度が必要な用途にも適用できる。
【図面の簡単な説明】
【００２２】
【図１】本発明の実施の形態における光ディスク装置の構成を示す斜視図
【図２】本発明の実施の形態における光ディスク装置の構成を示す正面図
【図３】本発明の実施の形態における光ディスク装置の構成を示す側面図
【図４】従来の光ディスクの両面を記録再生させる光ディスク装置の概略構成を示す正面図
【符号の説明】
【００２３】
１    光ピックアップ
２    光ピックアップ駆動手段
３    駆動装置
４    Ａ面側ガイドベース
５    Ａ面側ベース材
６    Ａ面側直線ガイド
７    Ａ面側ガイド主軸
８    Ａ面側ガイド主軸支持材
９    Ａ面側ガイド副軸
１０    Ｂ面側ガイドベース
１１    Ｂ面側ベース材
１２    Ｂ面側直線ガイド
１３    Ｂ面側ガイド主軸
１４    Ｂ面側ガイド主軸支持材
１５    Ｂ面側ガイド副軸
１６    回転板
１７    保持主軸
１８    保持副軸
１９    回転板直線ガイド
２０    ターンテーブル
１００    ディスク
【図１】
2005100560.tif 000003
【図２】
2005100560.tif 000004
【図３】
2005100560.tif 000005
【図４】
2005100560.tif 000006